(57)【要約】【課題】高精度な滑り制御を容易に実現することができ、しかも、製造コストを抑制することができる無段変速機の制御装置を提供する。【解決手段】無段変速機１のチェーン４に近接してセンサ９を配置し、ピン４ａを検出してパルスを出力させる。また、無段変速機１の入力回転数及び出力回転数に基づいてチェーン４の理論速度を求めるとともに、センサ９の出力に基づいてチェーン４の実速度を求め、これらの速度から滑りを求め、この滑りを基準値に近づけるように無段変速機１のクランプ力を制御する制御部１０を設ける。【選択図】図１
2008106786.tif 000002
【特許請求の範囲】
【請求項１】
無段変速機の入力回転数及び出力回転数をそれぞれ検出する一対の検出装置と、
前記無段変速機のチェーン又はベルトに近接して配置され、チェーン又はベルトの長さ方向に存在する形態上の周期的な変化に基づくパルスを出力するセンサと、
前記無段変速機の入力回転数及び出力回転数に基づいてチェーン又はベルトの理論速度を求めるとともに、前記センサの出力に基づいてチェーン又はベルトの実速度を求め、これらの速度から滑りを求め、この滑りを基準値に近づけるように前記無段変速機のクランプ力を制御する制御部と
を備えたことを特徴とする無段変速機の制御装置。
【請求項２】
前記センサは、前記無段変速機の変速比にかかわらず常にチェーン又はベルトが通過する位置に面して設けられる請求項１記載の無段変速機の制御装置。
【発明の詳細な説明】
【技術分野】
【０００１】
本発明は、チェーン又はベルトを用いる無段変速機の制御装置に関する。
【背景技術】
【０００２】
無段変速機（ＣＶＴ）におけるチェーンやベルトのスリップは、プーリの軸方向の変位を位置センサで捉えることにより、これを検出することができる。例えば、位置センサによって検出された駆動プーリのプーリ幅から演算して求めた変速比と、駆動プーリ及び従動プーリの各回転数に基づいて演算した実変速比とを比較して、その差が所定値以上であるか否かにより、滑りを検出することができる（例えば、特許文献１参照。）。また、プーリのクランプ力を調整することにより、滑りを制御することが可能である。
【０００３】
【特許文献１】特開２００５−２８９１５号公報（図４）
【発明の開示】
【発明が解決しようとする課題】
【０００４】
しかしながら、軸方向へのプーリの変位を高精度に検出することは容易でなく、高い精度が出なければ滑り制御を正確に行うことができない。また、高精度に検出するには、製造コストがかかる。
かかる従来の問題点に鑑み、本発明は、高精度な滑り制御を容易に実現することができ、しかも、製造コストを抑制することができる無段変速機の制御装置を提供することを目的とする。
【課題を解決するための手段】
【０００５】
本発明の無段変速機の制御装置は、無段変速機の入力回転数及び出力回転数をそれぞれ検出する一対の検出装置と、前記無段変速機のチェーン又はベルトに近接して配置され、チェーン又はベルトの長さ方向に存在する形態上の周期的な変化に基づくパルスを出力するセンサと、無段変速機の入力回転数及び出力回転数に基づいてチェーン又はベルトの理論速度を求めるとともに、前記センサの出力に基づいてチェーン又はベルトの実速度を求め、これらの速度から滑りを求め、これを基準値に近づけるように前記無段変速機のクランプ力を制御する制御部とを備えたものである。
【０００６】
上記のような無段変速機の制御装置においては、チェーン又はベルトに近接して配置されたセンサの出力に基づいて、制御部が実速度を求めるとともに、理論速度と実速度とから滑りを求め、これを基準値に近づけるように無段変速機のクランプ力を制御する。
【０００７】
また、上記無段変速機の制御装置において、センサは、無段変速機の変速比にかかわらず常にチェーン又はベルトが通過する位置に面して設けられるようにすればよい。
この場合、変速によってチェーン又はベルトの張架形態が変化しても、センサは確実にパルスを出力することができる。
【発明の効果】
【０００８】
本発明の無段変速機の制御装置によれば、チェーン又はベルトに近接して配置されたセンサの出力に基づいて、制御部が実速度を求めるとともに、理論速度と実速度とから滑りを求め、これを基準値に近づけるように無段変速機のクランプ力を制御する。従って、高精度な滑り制御を容易に実現することができ、しかも、製造コストを抑制することができる。
【発明を実施するための最良の形態】
【０００９】
図１は、無段変速機（ＣＶＴ）の制御装置を示すブロック回路図である。図において、無段変速機１は、駆動側プーリ２と従動側プーリ３との間に、動力伝達用のチェーン４を張架させている。チェーン４は、その長さ方向にピン４ａが所定間隔で設けられている。駆動側プーリ２はエンジンの駆動軸５と接続されている。一方、従動側プーリ３は、車両（図示せず。）の負荷６と接続されている。
【００１０】
駆動側プーリ２及び従動側プーリ３の各外周近傍には、それぞれ、各プーリの回転数を検出するためのセンサ７及び８が配置されている。各センサ７，８は、磁気的な変化を検出するセンサであり、例えばプーリ外周の周方向に等間隔で設けた凹凸（図示せず。）を検出することにより回転数に応じたパルスを出力する。
【００１１】
また、チェーン４の側面に対向して、チェーンの実速度を検出するためのセンサ９が設けられている。センサ９は例えば磁気抵抗の変化を検出するセンサであり、チェーンの長さ方向に所定間隔で設けられているピン４ａと近接対向するときと、隣接する２つのピン間に対向するときとの間で生じる磁気抵抗の周期的な変化に基づいて、パルスを出力する。図３は、各プーリ２，３及びチェーン４を側面から見たときの略図である。変速比の変化により、チェーン４の張架形態は変化する。しかし、変速比にかかわらず常にチェーン４が通過する図示の位置に面してセンサ９（の検出面）を配置することにより、常に、ピン４ａの通過を検出してパルスを出力することができる。なお、センサ９の位置は、破線で示す下方側でもよい。
【００１２】
図１に戻り、センサ７〜９の出力するパルスは制御部１０に入力される。また、制御部１０には、基準値設定部１１から後述の基準値を設定することができる。サーボポンプ１２は、制御部１０から指示を受けて、駆動側プーリ２によるチェーン４のクランプ力を調整する。
【００１３】
次に、上記制御部１０の動作について図２のフローチャートを参照して説明する。まず、制御部１０は、ステップＳ１において記憶値の初期化を行う。続いて制御部１０は、センサ７，８からの信号に基づいて駆動側プーリ２と従動側プーリ３の回転数を求め、その状態におけるチェーン４の理論速度を演算する（ステップＳ２）。さらに制御部１０は、センサ９からの信号に基づいてチェーン４の実速度を演算し（ステップＳ３）、理論速度の演算値Ｖ０と実速度の演算値Ｖとの差から滑りＳｍを、
Ｓｍ＝（Ｖ０−Ｖ）／Ｖ０
により求める（ステップＳ４）。次に制御部１０は、基準値設定部１１から設定される滑りの基準値Ｓｒと、上記滑りＳｍとを比較し（ステップＳ５）、Ｓｒ−Ｓｍ＝０すなわちＳｒ＝ＳｍであればステップＳ２に戻り、同様の処理を繰り返す。
【００１４】
一方、Ｓｒ−Ｓｍが正、すなわち滑りＳｍが基準値Ｓｒ未満である場合は、制御部１０はサーボポンプ１２を駆動してチェーン４のクランプ力を一定量だけ低減させる（ステップＳ７）。クランプ力の低減により、滑りＳｍは増大する。その後は、ステップＳ２〜Ｓ５、Ｓ７の処理が繰り返されれ、Ｓｒ＝Ｓｍとなった時点でクランプ力の低減処理は終了となる。
【００１５】
逆に、Ｓｒ−Ｓｍが負、すなわち滑りＳｍが基準値Ｓｒを超えている場合は、制御部１０はサーボポンプ１２を駆動してチェーン４のクランプ力を一定量だけ増大させる（ステップＳ６）。クランプ力の増大により、滑りＳｍは減少する。その後は、ステップＳ２〜Ｓ６の処理が繰り返されれ、Ｓｒ＝Ｓｍとなった時点でクランプ力の増大処理は終了となる。
このようにして、常にＳｒ＝Ｓｍの関係になる方向へクランプ力が調整される。一般に、動力伝達の効率は滑りと密接な関係があり、滑りを適正値（＝基準値Ｓｒ）にすることにより、最も優れた効率及び燃費が得られる。例えば滑りＳｒ＝１．５％が好適である。
【００１６】
上記のような無段変速機の制御装置によれば、チェーンに近接して配置されたセンサの出力に基づいて、チェーンの実速度を簡単かつ高精度に検出することができる。また、理論速度も各プーリ２，３の回転数に基づいているので正確である。従って、理論速度と実速度とから滑りを求め、これを基準値に近づけるように無段変速機のクランプ力を制御することで、高精度な滑り制御を容易に実現することができ、しかも、製造コストを抑制することができる。
【００１７】
なお、上記実施形態の無段変速機ではチェーンを使用しているが、ベルトであっても、その長さ方向に存在する形態上の周期的な変化があれば、その変化をセンサで捉えることができる。また、センサは、磁気的変化に基づくセンサの他、光センサも使用することができる。
【００１８】
また、上記実施形態では各プーリ２，３の回転数を検出するために各プーリ２，３の外周にセンサ７，８を配置し、それらの出力を制御部１０で処理する構成としたが、これに限られるものではなく、要するに無段変速機の入力回転数及び出力回転数をそれぞれ検出する検出装置を設ければよい。
【図面の簡単な説明】
【００１９】
【図１】無段変速機（ＣＶＴ）の制御装置を示すブロック回路図である。
【図２】制御部の動作を示すフローチャートである。
【図３】各プーリ及びチェーンを側面から見たときの略図である。
【符号の説明】
【００２０】
１    無段変速機
４    チェーン
７，８    センサ（検出装置）
９    センサ
１０    制御部
【図１】
2008106786.tif 000003
【図２】
2008106786.tif 000004
【図３】
2008106786.tif 000005